【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
１以上のオフライン作業可能な端末と、前記端末からネットワークを介して接続する計
算機とを備え、前記端末が要求するアプリケーションプログラム（以後ＡＰと呼ぶ。）を
前記計算機上で実行させる計算機システムであって、
前記計算機は、
ＡＰ実行用ファイル、前記ＡＰの編集対象であるデータ、仮想計算機のＯＳを実現する
ＯＳ実行用ファイル、および、前記仮想計算機上で作業をするために必要な設定情報とを
保持するストレージ領域と、
前記ＯＳ実行用ファイルを用いて仮想計算機を実現する仮想計算機制御手段と、
前記ＡＰの中で端末が要求するＡＰを、前記設定情報を用いて前記仮想計算機上で実行
させ、前記端末から当該ＡＰを終了させる指示を受け付けると、受け付けた時点の前記設
定情報、前記ＯＳ実行用ファイル、前記データ、前記ＡＰ実行用ファイルを前記ストレー
ジ領域にイメージファイルとして格納し、当該端末が接続を断つ前に、前記イメージファ
イルを前記端末に転送する制御手段とを、当該計算機に接続する端末毎に、備え、
前記端末は、
前記計算機から受信した前記イメージファイルを格納するストレージ装置と、
前記ＯＳ実行用ファイルを用いて仮想計算機を実現する端末仮想計算機制御手段と、
前記計算機と接続していない場合、前記仮想計算機上で前記設定情報を用いて前記ＡＰ
を実行させる端末制御手段と
を備えること
を特徴とする計算機システム。
【請求項２】
請求項１記載の計算機システムであって、
前記制御手段は、前記端末を介して前記ユーザからオフライン処理を行う旨の指示を受
け付けた場合のみ、前記転送を行うこと
を特徴とする計算機システム。
【請求項３】
請求項１または２記載の計算機システムであって、
前記端末制御手段は、
前記計算機に接続する際、前記ストレージ装置内に格納されている前記イメージファイ
ルを前記計算機に送信するとともに、送信後、前記ストレージ装置内から前記イメージフ
ァイルを消去し、
前記制御手段は、
前記端末から前記イメージファイルを受信すると、当該受信したイメージファイルで、
前記ストレージ領域に格納されている既存のイメージファイルを上書きすること
を特徴とする計算機システム。
【請求項４】
請求項１から３いずれか１項記載の計算機システムであって、
着脱可能なセキュリティ装置をさらに備え、
前記端末は、前記セキュリティ装置とのインタフェースであるセキュリティインタフェ
ースを備え、
前記端末制御手段は、前記イメージファイルを前記計算機から受信した際、前記セキュ
リティ装置を用い、前記ストレージ内のイメージファイルを暗号化し、前記ＡＰ実行時に
、前記セキュリティ装置を用いて当該イメージファイルを復号し、実行すること
を特徴とする計算機システム。
【請求項５】
１以上の端末がネットワークを介して接続する計算機であって、
アプリケーションプログラム（以後ＡＰと呼ぶ。）実行用ファイル、前記ＡＰの編集対
象であるデータ、仮想計算機が実行するＯＳを実現するＯＳ実行用ファイル、および、前
記仮想計算機上で作業をするために必要な設定情報とを保持するストレージ領域と、
前記ＯＳ実行用ファイルを用いて仮想計算機を実現する仮想計算機制御手段と、
制御手段と、を前記端末毎に備え、
前記制御手段は、
前記ＡＰの中で前記端末が要求するＡＰを、前記設定情報を用いて前記仮想計算機上で
実行させ、前記端末から当該ＡＰを終了させる指示を受け付けると、受け付けた時点の前
記設定情報、前記ＯＳ実行用ファイル、前記データ、前記ＡＰ実行用ファイルを前記スト
レージ領域にイメージファイルとして格納し、当該端末が接続を断つ前に、前記イメージ
ファイルを前記端末に転送すること
を特徴とする計算機。
【請求項６】
請求項５記載の計算機であって、
前記制御手段は、
前記端末から前記イメージファイルを受信すると、当該受信したイメージファイルで、
前記ストレージ領域に格納されている既存のイメージファイルを上書きすること
を特徴とする計算機。
【請求項７】
ネットワークを介して計算機に接続し、当該計算機上でアプリケーションプログラム（
以後、ＡＰと呼ぶ。）を実行させる、オフライン作業可能な端末であって、
前記計算機から受信したイメージファイルを格納するストレージ装置と、
仮想計算機を実現する端末仮想計算機制御手段と、
前記計算機と接続していない場合、前記仮想計算機上で前記ＡＰを実行させる端末制御
手段と、を備え、
前記イメージファイルには、前記計算機において実行していたＡＰを終了した時点の、
アプリケーションプログラム（以後ＡＰと呼ぶ。）実行用ファイル、前記ＡＰの編集対象
であるデータ、仮想計算機のＯＳを実現するＯＳ実行用ファイル、および、前記仮想計算
機上で作業をするために必要な設定情報が含まれ、
前記端末仮想計算機制御手段は、前記イメージファイル内の前記ＯＳ実行用ファイルを
用いて前記仮想計算機を実現し、
前記端末制御手段は、前記設定情報を用いて前記ＡＰを実行させること
を特徴とする端末。
【請求項８】
請求項７記載の端末であって、
前記端末制御手段は、
前記計算機に接続する際、前記ストレージ装置内に格納されている前記イメージファイ
ルを前記計算機に送信するとともに、送信後、前記ストレージ装置内から前記イメージフ
ァイルを消去すること
を特徴とする端末。
【請求項９】
請求項７または８記載の端末であって、
着脱可能なセキュリティ装置をさらに備え、
前記端末は、前記セキュリティ装置とのインタフェースであるセキュリティインタフェ
ースを備え、
前記端末制御手段は、前記イメージファイルを前記計算機から受信した際、前記セキュ
リティ装置を用い、前記ストレージ内のイメージファイルを暗号化し、前記ＡＰ実行時に
、前記セキュリティ装置を用いて当該イメージファイルを復号し、実行すること
を特徴とする端末。
【請求項１０】
１以上のオフライン作業可能な端末と前記端末からネットワークを介して接続する計算
機とを備え、前記端末が要求するアプリケーションプログラム（以後、ＡＰと呼ぶ。）を
前記計算機上で実行して前記端末に提供する場合または当該端末上でＡＰを実行する場合
の前記計算機上の実行環境と前記端末上の実行環境とを一致させる方法であって、
前記計算機および前記端末は、自身のＯＳ上で、仮想計算機を実現する仮想計算機実現
手段をそれぞれ備え、
前記ＡＰ実行の指示を受け付けると、それぞれ、前記仮想計算機上で当該ＡＰを実行し
、終了の指示を受け付けると、当該受け付けた時点の当該仮想計算機上で作業をするため
の設定情報、前記ＡＰ実行用ファイル、前記ＡＰの編集対象データ、および、前記仮想計
算機のＯＳを実現するＯＳ実行用ファイルを、１つのイメージファイルとして保持し、
前記端末が、前記計算機との接続を断つ場合、前記イメージファイルは、前記計算機か
ら前記端末に送信され、
前記端末が、前記計算機に接続する場合、前記イメージファイルは、前記端末から前記
計算機に送信され、
それぞれ、受け取った側で、既存のイメージファイルに上書きすること
を特徴とする方法。
【請求項１１】
１以上のオフライン作業可能な端末と、前記端末からネットワークを介して接続する計
算機とを備え、前記端末が要求するアプリケーションプログラム(以後、ＡＰと呼ぶ。）
を前記計算機上で実行させる計算機システムであって、
前記計算機は、個々の利用者毎に、前記端末を介して利用者が要求するＡＰを実行する
ための個人環境に関する情報を保持するストレージ領域を備え、
前記端末は、前記利用者が要求するＡＰを実行するための個人環境に関する情報を保持
するストレージ装置を備え、
前記システムは、
前記端末を前記ネットワークから切り離す時および再接続する時に、前記ストレージ領
域に格納されている個人環境に関する情報と前記ストレージ装置に格納されている個人環
境に関する情報との同期をとること
を特徴とする計算機システム。
【請求項１２】
請求項１１記載の計算機システムであって、
前記端末は、セキュリティ装置をさらに備え、
前記個人環境に関する情報を、前記セキュリティ装置により暗号化して前記ストレージ
装置に格納すること
を特徴とする計算機システム。